(57)【特許請求の範囲】
【請求項１】
前面側に静電容量方式のタッチセンサを備えた携帯型情報処理装置と、前記携帯型情報処理装置に装着可能に構成され、かつ、前記携帯型情報処理装置の前記前面を開閉可能なカバーと、を備えた携帯型情報処理システムであって、
前記カバーには導電性の材料が形成されており、
前記携帯型情報処理装置は、前記タッチセンサで前記導電性の材料を検出した場合に、前記カバーが閉じられたと判断することを特徴とする携帯型情報処理システム。 
【請求項２】
前記導電性の材料は、金属材料であることを特徴とする請求項１に記載の携帯型情報処理システム。 
【請求項３】
前記携帯型情報処理装置は、前記タッチセンサで前記導電性の材料を検出した場合には、前記携帯型情報処理装置をサスペンドに移行させることを特徴とする請求項２に記載の携帯型情報処理システム。 
【請求項４】
前記導電性の材料は、所定のパターンを有しており、
前記携帯型情報処理装置は、前記タッチセンサで前記所定のパターンを検出して、検出したパターンに応じた処理を行うことを特徴とする請求項１に記載の携帯型情報処理システム。 
【請求項５】
前記携帯型情報処理装置は、前記タッチセンサで前記導電性の材料の配置位置を検出し、検出した配置位置に応じた処理を行うことを特徴とする請求項１に記載の携帯型情報処理システム。 
【請求項６】
前記導電性の材料は、前記カバーに対して着脱可能に形成されていることを特徴とする請求項４又は請求項５に記載の携帯型情報処理システム。 
【請求項７】
前面側に静電容量方式のタッチセンサを備えた携帯型情報処理装置であって、
前記前面を開閉可能かつ導電性の材料が形成されたカバーを装着可能であり、
前記タッチセンサで前記導電性の材料を検出した場合に、前記カバーが閉じられたと判断することを特徴とする携帯型情報処理装置。
【発明の詳細な説明】
【技術分野】
【０００１】
本発明は、携帯型情報処理システム、その携帯型情報処理装置、及びそのカバーに関する。
【背景技術】
【０００２】
近時、タブレットＰＣやスマートフォンのようにタッチパネルを備えた携帯型情報処理装置が普及している。タッチパネル方式としては、例えば、静電容量方式、光方式、抵抗膜方式、音響波照合（ＡＰＲ）方式、超音波表面弾性波（超音波）方式等の各種方式がある。
【０００３】
静電容量式のタッチパネルは、表面型と投影型の２種類がある。表面型は、一般的に、カバー、導電膜、ガラス基板の３層で構成されている。導電膜はガラス基板の上に配置され、ガラス基板の四隅には電極が設けられており、導電膜によって均一な電界が形成される。指が画面に触れると駆動回路からの微弱電流が隅の端子、導電膜、カバーを通過して、指を経由して大地を含む周辺環境と駆動回路との間で閉回路を構成する。駆動回路側で四隅の端子の電流量の比率を計測することで指の位置を判別することができる。
【０００４】
他方、投影型は、指先の多点検出や面検出が可能である点で表面型より優れている。投影型は、一般的に、絶縁体フィルムとその下の電極層で構成されている。絶縁体フィルムの下の電極層にはITO等の透明電極によって縦横2層からなる多数のモザイク状電極パターンがガラスやプラスチックなどの基板上に配置される。指が触れるとその付近の電極の静電容量の変化を縦横２つの電極列から知ることで位置を精密に判別することができる。また、縦と横に走る多数の電極列によって、多点検出と面検出が可能となっている。
【０００５】
他方、ｉｐａｄ等のタブレットＰＣでは、その本体を保護するためのタブレットＰＣ専用ケースやカバーが多数販売されている。かかるタブレットＰＣ専用ケースやカバーは、タブレットＰＣの本体を保護することを目的とするのみで、それ以外の用途では余り使用されていない。
【先行技術文献】
【特許文献】
【０００６】
【特許文献１】ＷＯ２０１２／０７０５９３
【特許文献２】特開２０１０−３９５１５号公報
【発明の概要】
【発明が解決しようとする課題】
【０００７】
本発明は、上記に鑑みてなされたものであって、携帯型情報処理装置の静電容量方式のタッチセンサと、携帯型情報処理装置用のカバーとを有効に利用することが可能な携帯型情報処理システム、その携帯型情報処理装置、及びそのカバーを提供することを目的とする。
【課題を解決するための手段】
【０００８】
上述した課題を解決し、目的を達成するために、本発明は、前面側に静電容量方式のタッチセンサを備えたスレート形状の携帯型情報処理装置と、前記携帯型情報処理装置に装着可能に構成され、かつ、前記携帯型情報処理装置の前記前面を開閉可能なカバーと、を備えた携帯型情報処理システムであって、前記カバーには導電性の材料が形成されており、前記携帯型情報処理装置は、前記タッチセンサで前記導電性の材料を検出した場合に、前記カバーが閉じられたと判断することを特徴とする。
【０００９】
また、本発明の好ましい態様によれば、前記導電性の材料は、金属材料であることが望ましい。
【００１０】
また、本発明の好ましい態様によれば、前記携帯型情報処理装置は、前記タッチセンサで前記導電性の材料を検出した場合には、前記携帯型情報処理装置をサスペンドに移行させることが望ましい。
【００１１】
また、本発明の好ましい態様によれば、前記導電性の材料は、所定のパターンを有しており、前記携帯型情報処理装置は、前記タッチセンサで前記所定のパターンを検出し、検出したパターンに応じた処理を行うことが望ましい。
【００１２】
また、本発明の好ましい態様によれば、前記携帯型情報処理装置は、前記タッチセンサで前記導電性の材料の配置位置を検出し、検出した配置位置に応じた処理を行うことが望ましい。
【００１３】
また、本発明の好ましい態様によれば、前記導電性の材料は、前記カバーに対して着脱可能に形成されていることが望ましい。
【００１４】
また、上述した課題を解決し、目的を達成するために、本発明は、前面側に静電容量方式のタッチセンサを備えたスレート形状の携帯型情報処理装置であって、前記前面を開閉可能かつ導電性の材料が形成されたカバーを装着可能であり、前記タッチセンサで前記導電性の材料を検出した場合に、前記カバーが閉じられたと判断することを特徴とする。
【００１５】
また、上述した課題を解決し、目的を達成するために、本発明は、携帯型情報処理装置の前面を開閉可能なカバーであって、前記カバーには、前記携帯型情報処理装置の前記前面側に形成された静電容量方式のタッチセンサで検出するための導電性の材料が形成されていることを特徴とする。
【発明の効果】
【００１６】
本発明によれば、携帯型情報処理装置の静電容量方式のタッチセンサと、携帯型情報処理装置用のカバーとを有効に利用することが可能な携帯型情報処理システム、その携帯型情報処理装置、及びそのカバーを提供することが可能になるという効果を奏する。
【図面の簡単な説明】
【００１７】
【図１】図１は、タブレットＰＣの前面図である。
【図２】図２は、図１の概略の断面図である。
【図３】図３は、タブレットＰＣにタブレットＰＣ専用カバーを装着した状態を示す図である。
【図４】図４は、投影型静電容量方式を使用したタッチセンサの検出原理を説明するための図である（その１）。
【図５】図５は、投影型静電容量方式を使用したタッチセンサの検出原理を説明するための図である（その２）。
【図６】図６は、タブレットＰＣの概略のハードウェア構成例を示す図である。
【図７】図７は、タッチセンサコントローラがタブレットＰＣ専用ケースのカバーの閉じ状態を検出する動作を説明するためのフローチャートである。
【図８】図８は、タッチセンサコントローラがタブレットＰＣ専用ケースのカバーの閉じ状態を検出する他の動作例を説明するためのフローチャートである。
【図９】図９は、所定のパターンの材料の一例を説明するための図である。
【図１０】図１０は、カバーの裏面に配置する材料の配置位置に応じた処理を行う場合の説明図である。
【発明を実施するための形態】
【００１８】
以下、本実施の形態にかかる携帯型情報処理システム、その携帯型情報処理装置、及びそのケースを適用したコンピュータシステムの実施の形態について説明する。本発明の構成要素は、本明細書の図面に一般に示してあるが、様々な構成で広く多様に配置し設計してもよいことは容易に理解できる。したがって、本発明の装置、方法、およびプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システムおよび方法についての選択した実施の形態を単に示すものである。当業者は、特定の細目の１つ以上が無くても、または他の方法、部品、材料でも本発明を実現できることが理解できる。
【００１９】
図１〜図３を参照して、本実施形態に係る携帯型情報処理装置を適用したタブレットＰＣ１０の概略の構成及びそのタブレットＰＣ専用ケース４０を説明する。図１は、タブレットＰＣ１０の前面図、図２は、図１の概略の断面図である。図３は、タブレットＰＣ１０にタブレットＰＣ用ケース４０を装着した状態を示す図である。
【００２０】
タブレットＰＣ１０は、図１及び図２に示すように、前面側にＬＣＤ１３が配置され、ＬＣＤ１３上にタッチセンサ１２が配置されている。ＬＣＤ１３には各種情報が表示される。タブレットＰＣ１０は、略長方体である筐体１１に、回路基板１４、ＬＣＤ１３、タッチセンサ１２が収納されている。筐体１１は例えば合成樹脂で構成することができる。タッチセンサ１２は、筐体１１の額縁と略同一平面上に配置されている。また、ＬＣＤ１３の上方の筐体１１の略中央位置表面には、カメラ１８が設けられている。
【００２１】
タッチセンサ１２は、投影型静電容量方式のタッチセンサであり、指等の指示体の多点検出及び面検出が可能となっている。タッチセンサ１２は、Ｙ軸方向に延在する複数のＹ電極と、複数のＹ電極上に形成された絶縁層と、絶縁層上に形成されたＸ軸方向に延在する複数のＹ電極とが形成された透明電極基板１２ａと、透明電極基板１２上に形成された保護ガラス１２ｂと、を備えている。Ｘ電極とＹ電極は、マトリクス形状に構成されている。
【００２２】
なお、本明細書において、タブレットＰＣ１０の前面側を覆う部材をカバーと称し、また、カバーを有し、タブレットＰＣ１０に装着される場合に背面側を覆う構成の形態を「ケース」と称し、また、カバーを有し、タブレットＰＣ１０に装着される場合に背面側を覆わない構成（例えば、タブレットＰＣ１０の一つの側面に装着される構成）の形態を「カバー」と称する（http://www.apple.com/jp/ipad/accessories/参照）。すなわち、「カバー」及び「ケース」に適用可能であり、少なくとも、前面側に静電容量方式のタッチセンサを備えたスレート形状の携帯型情報処理装置に装着可能に構成され、かつ、当該携帯型情報処理装置の前面を開閉可能なカバーに適用可能である。図３を参照して、タブレットＰＣ専用ケース４０を説明する。タブレットＰＣ用ケース４０は、タブレットＰＣ１０を固定するための本体部４２と、本体部４２に対して回動可能に構成され、タブレットＰＣ１０の前面を開閉するためのカバー４１とを備えている。本体部４２には、タブレットＰＣ１０の縁部を固定するための硬質の材料で形成された４つの固定突起４３が形成されている。ユーザは、タブレットＰＣ１０の前面を上にした状態で固定突起４３に嵌合させ、タブレットＰＣ１０を固定させる。
【００２３】
カバー４１は、タブレットＰＣ１０の前面を回動開閉可能に構成されている。カバー４１の裏面（タブレットＰＣ１０と対向する面側）４１ａの略中央には、タッチセンサ１２を使用してカバー４１の開閉を検出するための導電性の材料である金属材料５０が設けられている。金属材料５０は、例えば、アルミ箔である。タブレットＰＣ１０では、後述するように、タッチセンサ１２の検出結果に基づいて、タブレットＰＣ１０の前面に対するカバー４１の開閉を検出することが可能となっている。なお、裏面４１ａに金属材料５０を形成することとしたが、裏面４１ａの全面又は一部を通電加工することにしてもよい。
【００２４】
図４及び図５を参照して、投影型静電容量方式を使用したタッチセンサ１２の検出原理を説明する。図４は、タッチセンサ１２の透明電極基板１２ａに形成された各Ｘ電極２２及び各Ｙ電極２１で指３０を検出する場合の静電容量の関係を説明するための模式図である。なお、図４は説明を簡単にするための模式図であり、実際に配置されるＸ電極２２及びＹ電極２１の本数はこれより多く、タッチセンサの分解能に対応した本数である。
【００２５】
タッチセンサコントローラ２３は、Ｘ電極２２及びＹ電極２１に駆動信号を送出し、Ｘ電極２２及びＹ電極２１の電圧等を検出して静電容量の変化を検出することで、指示体のＸ電極２２及びＹ電極２１のタッチ位置を特定することができる。タッチセンサ１２は、指の誘電率に適合させて、指を検知できるように構成されている。
【００２６】
図４に示すように、Ｘ電極２２及びＹ電極２１に指３０が近づくと、電極間の静電容量が増加し、Ｘ電極２２及びＹ電極２１の静電容量は指３０接触付近で最大値となる。タッチセンサコントローラ２３は、静電容量が第１の閾値Ｎ１以上となるＸ電極２２及びＹ電極２１を検出することで、指のタッチ位置を検出することができる。また、タッチセンサコントローラ２３は、静電容量が第１の閾値Ｎ１以上となる複数のＸ電極２２及びＹ電極２１を検出することで、指と同程度の誘電率を有する指示体のパターン（形状）を検出することができる。
【００２７】
静電容量Ｃを平行平板導体モデルで表すと、面積Ｓ［ｍ２］、間隔ｄ［ｍ］の２枚の平行導体の間に、誘電率εの誘電体が均一に充填されている物体の静電容量ＣはＣ＝ε×（Ｓ／ｄ）で示される。ここで、ε＝εｒ×ε０であり、ε０は真空の誘電率、εｒは物体の比誘電率である。従って、指よりも大きい誘電率の物体を電極に近づけると、検出される静電容量は指の場合よりも大きくなる。
【００２８】
図５は、Ｘ電極２２及びＹ電極２１で指３０よりも誘電率の大きい上述の金属材料５０を検出する場合の静電容量の関係を説明するための図である。Ｘ電極２２及びＹ電極２１に金属材料５０が近づくと、指３０の場合よりも電極間の静電容量が増加し、指３０の場合の静電容量の最大値を超えた値となる。本実施の形態では、タッチセンサコントローラ２３は、Ｘ電極及びＹ電極で検出される静電容量が第２の閾値Ｎ２（但し、第２の閾値Ｎ２＞第１の閾値Ｎ１）以上となるＸ電極及びＹ電極を検出した場合に、タブレットＰＣ専用ケース４０のカバー４１が閉じられたと判断する。
【００２９】
図６は、上記タブレットＰＣ１０の概略のハードウェア構成例を示す図である。タブレットＰＣ１０は、同図に示すように、ＣＰＵ１０１、ＲＯＭ１０２、メモリ１０３、ＨＤＤ（ハードディスク）１０４、ＬＣＤ１３と、グラフィクスアダプタ１０５と、タッチセンサ１２と、カメラ１８と、タッチセンサコントローラ２３と、ＵＳＢポート１０６と、通信デバイス１０７と、電源回路１０８とを備えており、各部はバスを介して直接または間接的に接続されている。
【００３０】
ＣＰＵ１０１は、バスを介して接続されたＨＤＤ１０４に格納されたＯＳ１１１によりＰＣ１０全体の制御を行うとともに、ＨＤＤ１０４に格納された各種のプログラムに基づいて処理を実行する機能を司る。ＲＯＭ１０２は、ＢＩＯＳ（Ｂａｓｉｃ  Ｉｎｐｕｔ／Ｏｕｔｐｕｔ  Ｓｙｓｔｅｍ：基本入出力システム）１０２ａやデータ等を格納している。  
【００３１】
メモリ１０３は、キャッシュメモリやＲＡＭで構成されており、ＣＰＵ１０１の実行プログラムの読み込み領域として、実行プログラムの処理データを書き込む作業領域として利用される書き込み可能メモリである。
【００３２】
ＨＤＤ（ハードディスク）１０４は、タブレットＰＣ１０の全体の制御を行うためのＯＳ１１１と、周辺機器類をハードウェア操作するための各種ドライバ１１２と、特定業務に向けられた、ブラウザアプリ、電子メールアプリ、動画再生アプリ、表計算アプリ、及びワープロアプリ等の各種アプリケーション１１３等を記憶する機能を有する。
【００３３】
ＯＳ１１１は、タブレットＰＣ１０の基本的な動作を制御するものであり、各種資源を管理し、例えば、アプリケーションプログラムが発生した命令を、ドライバ１１２やＢＩＯＳ１０２ａ等に伝える。また、ＯＳ１１１は、マルチタスク機能を有し、アプリケーションの実行コンテキスト（あるアプリケーションが利用しているレジスタセットやメインメモリイメージ、ファイルハンドルなど）やＧＵＩの部品などのソフトウェア資源の管理も行う。
【００３４】
また、ＯＳ１１１は、電源回路１０８等を制御してシステム状態（電源状態）の移行を制御する。システム状態は、例えば、ＡＣＰＩステートで規定される６つのステートＳ０〜Ｓ５であり、Ｓ０はフル稼働状態、Ｓ１は低消費電力状態（ただし、プロセッサ、チップセットともに電源オン）、Ｓ２は低消費電力状態（ただし、プロセッサとキャッシュは電源オフ、チップセットは電源オン）、Ｓ３はサスペンド状態、Ｓ４はハイバネーション状態、Ｓ５はソフトウェアによる電源オフを示している。ＯＳ１１１としては、例えば、Ｗｉｎｄｏｗｓ（登録商標）、Ａｎｄｒｏｉｄ（登録商標）、及びｉＯＳ（登録商標）等を使用することができる。
【００３５】
各種ドライバ１１２は、例えば、タッチセンサ１２を動作させるためのタッチセンサドドライバ、ＬＣＤ１３に画像を表示させるための表示ドライバ、カメラ１８を動作させるためのカメラドライバ等である。
【００３６】
グラフィクスアダプタ１０５は、ＣＰＵ１０１の制御に従って、表示情報をビデオ信号に変換し、変換したビデオ信号をＬＣＤ１３に出力する。ＬＣＤ１３は、ＣＰＵ１０１の制御に従って、各種情報を表示する機能を有している。通信デバイス１０７は、ネットワークを介してデータの送受信を行うためのものである。
【００３７】
電源回路１０８は、ＡＣアダプタ、インテリジェント電池、インテリジェント電池を充電するための充電器、およびＤＣ／ＤＣコンバータ等を備えており、ＣＰＵ１０１の制御に従って、各デバイスに電力を供給する。カメラ１８は、被写体を撮影して、その画像データをＣＰＵ１０１に出力する。
【００３８】
タッチセンサ１２は、ユーザが入力操作を行うためのユーザインターフェィスであり、ユーザが、ＬＣＤ１３の画面に表示される各種メニュー、アイコン、ボタン、およびキーボード等の画面オブジェクトを選択して入力操作を行ったり、テキストの入力操作や、スクロールやスワイプ等の画面操作を行うためのものである。タッチセンサコントローラ２３は、タッチセンサ１２を駆動するためのドライブ回路やタッチ位置を検出するための検出回路を備え、タッチセンサ１２の動作をコントールする。タッチセンサコントローラ２３は、タッチセンサ１２のＸ電極２２及びＹ電極２１に駆動信号を送出し、Ｘ電極２２及びＹ電極２１の電圧等を検出して静電容量の変化を検出することで、指示体のＸ電極２２及びＹ電極２１のタッチ位置（Ｘ、Ｙ）を特定し、タッチ位置（Ｘ，Ｙ）をＣＰＵ１０１に出力する。
【００３９】
図７は、タッチセンサコントローラ２３がタブレットＰＣ専用ケース４０のカバー４１の閉じ状態を検出する動作を説明するためのフローチャートである。図７において、ユーザがタブレットＰＣ専用ケース４０のカバー４１を閉じると、タッチセンサコントローラ２３が第２の閾値Ｎ２以上の静電容量を検出し（ステップＳ１）、タブレットＰＣ専用ケース４０のカバー４１が閉じられたと判断して（ステップＳ２）、ＯＳ１１１にタブレットＰＣ専用ケース４０のカバー４１が閉じられた旨を通知する。これに応じて、ＯＳ１１１は、タブレットＰＣ１０の電源状態をサスペンドに移行させる（ステップＳ３）。
【００４０】
図８〜図１０を参照して、他の実施例を説明する。上記実施の形態では、タブレットＰＣ専用ケース４０のカバー４１に金属材料５０を配置して、タッチセンサ１２でこの金属材料５０を検出することで、カバー４１の閉じ状態を検出する場合を説明したが本発明はこれに限られるものではない。例えば、カバー４１に、指と同程度の誘電率を有する導電性の材料である所定のパターン（形状）の材料を配置し、カバー４１を閉じた際に、タッチセンサコントローラ２３が特定のパターンを検出した場合に、パターンに応じた処理を行うことにしてもよい。
【００４１】
図８は、タッチセンサコントローラ２３がタブレットＰＣ専用ケース４０のカバー４１の閉じ状態を検出した場合の他の動作例を説明するためのフローチャートである。図８において、ユーザがタブレットＰＣ専用ケース４０のカバー４１を閉じると、タッチセンサコントローラ２３が所定のパターンを検出し（ステップＳ１０）、タブレットＰＣ専用ケース４０のカバー４１が閉じられたと判断して、ＯＳ１１１に所定のパターンを検出した旨を通知する。これに応じて、ＯＳ１１１は、検出されたパターンに応じた処理を行う（ステップＳ１１）。
【００４２】
図９は、所定のパターンの材料の一例を説明するための図である。図９において、図３と同等分には同一符号を付してある。図９に示す例では、所定のパターンの一例として、Ｗのパターンの材料５１が、タブレットＰＣ専用ケース４０のカバー４１の裏面４１ａに配置されている。この材料５１は指と同程度の誘電率を有することが望ましい。
【００４３】
図９において、ユーザがタブレットＰＣ専用ケース４０のカバー４１を閉じると、タッチセンサコントローラ２３がＷのパターンを検出し、タブレットＰＣ専用ケース４０のカバー４１が閉じられたと判断して、ＯＳ１１１にＷのパターンを検出した旨を通知する。これに応じて、ＯＳ１１１は、Ｗのパターンに応じた処理として、ブラウザアプリを起動する。パターンの例はこれに限られるものではなく、パターンに応じた各種処理が考えられる。一例として、材料５１がＳのパターンの場合には、サスペンドに移行する処理を行い、材料５１がＭのパターンの場合には、電子メールアプリを起動する処理を行い、また、材料５１がＩのパターンの場合はタブレットＰＣ１０の初期化処理を行う。
【００４４】
カバー４１の裏面４１ａに配置する材料５１は、裏面４１ａに固定して形成してもよいし、裏面４１ａに対して着脱可能（取り付け及び取り外し可能）に形成してもよい。材料５１を着脱可能に構成することで、異なる複数のパターンの材料５１を用意しておき、ユーザが取り付けるパターンを変更することで、カバー４１を閉じた時に、各種の処理を行うことが可能となる。なお、材料５１を着脱可能に形成する場合は、例えば、裏面４１ａを起毛材料で形成し、材料５１の取り付け面をファスナーで形成することで、簡単に材料５１を裏面４１ａに対して着脱可能に形成することができる。
【００４５】
また、カバー４１の裏面４１ａに配置する材料の配置位置に応じた処理を行うことにしてもよい。タッチセンサコントローラ２３が裏面４１ａに配置する材料の配置位置を検出し、ＯＳ１１１が検出した配置位置に応じた処理を行うことにしてもよい。図１０は、カバー４１の裏面４１ａに配置する材料の配置位置に応じた処理を行う場合の説明図である。図１０において、図３と同等部分には同一符号を付してある。
【００４６】
図１０において、カバー４１の裏面４１ａには世界地図３００が描画されている。世界地図３００上には○のパターンの材料３１０が配置されている。材料３１０は、指と同程度の誘電率を有する導電性の材料であることが望ましい。タッチセンサコントローラ２３は、世界地図３００に対応する地図データを記憶している。ユーザがタブレットＰＣ専用ケース４０のカバー４１を閉じると、タッチセンサコントローラ２３が○のパターンの位置を検出し（ステップＳ１０）、カバー４１が閉じられたと判断し、検出した○のパターンの位置に対応する国を、記憶している地図データを参照して判定する。タッチセンサコントローラ２３は、判定した国をＯＳ１１１に通知する。これに応じて、ＯＳ１１１は、判定した国に対応した初期化処理（例えば、時刻やキャリアの設定等）を行う。
【００４７】
図１０に示す例では、米国に材料３１０が配置されているので、米国に対応した初期化処理を行う。なお、上記と同様に、材料３１０は、裏面４１ａに固定して形成してもよいし、着脱可能に形成してもよい。材料３１０を着脱可能に構成することで、ユーザは、材料３１０の配置位置を変更して、国に応じた初期化処理を行うことができ、例えば、海外旅行や海外出張の時に便利である。また、例えば、タブレットＰＣ専用ケース４０を製造するメーカが販売国別に、当該販売国に対応する位置に材料３１０を形成したタブレットＰＣ専用ケース４０を販売することにしてもよい。このように、タブレットＰＣ専用ケース４０のカバー４１に配置する材料のパターンや配置位置を変更することで、簡単に各種処理を行うことができる。
【００４８】
以上説明したように、本実施の形態によれば、前面側に静電容量方式のタッチセンサ１２を備えたタブレットＰＣ１０と、タブレットＰＣ１０に装着可能に構成され、かつ、タブレットＰＣ１０の前面を開閉可能なカバー４１を有するタブレットＰＣ専用ケース４０と、を備え、タブレットＰＣ専用ケース４０には、カバーに金属材料５０が形成されており、タブレットＰＣ１０では、タッチセンサ１２で金属材料５０を検出した場合に、カバー４１が閉じられたと判断することとしたので、静電容量方式のタッチセンサと、タブレットＰＣ専用ケースを有効に利用することが可能となる。付言すると、カバーの開閉を検出するための特別なセンサをタブレットＰＣに設ける必要がなく、既存のタッチセンサをカバーの開閉の検出用に使用することで、低コストかつ簡単な構成とすることが可能となる。
【００４９】
また、タブレットＰＣ１０では、金属材料５０を検出した場合には、サスペンドに移行することとしたので、省電力化を図ることが可能となる。
【００５０】
また、カバー４１に所定のパターンを有する材料５１を形成し、タッチセンサ１２で所定のパターンを検出した場合には、検出したパターンに応じた処理を行うこととしたので、パターンに応じた処理を行うことが可能となる。
【００５１】
また、タッチセンサ１２で材料３１０の配置位置を検出し、検出した配置位置に応じた処理を行うこととしたので、材料３１０の配置位置に応じた処理を行うことが可能となる。
【００５２】
また、材料５０，３１０は、カバー４１に対して着脱可能に形成することとしたので、
材料５０のパターンを変更したり、材料３１０の配置位置を変更することで、各種処理を行うことが可能となる。
【００５３】
なお、上記実施の形態では、携帯型情報処理装置として、タブレットＰＣについて説明したが、本発明はこれに限られるものではなく、スマートフォンやＰＤＡ等の他の携帯型情報処理装置にも適用可能である。また、上記実施の形態では、「ケース」タイプについて説明したが、上述したように、「カバー」タイプにも適用可能であることは言うまでもない。
【産業上の利用可能性】
【００５４】
以上のように、本発明にかかる携帯型情報処理システム、その携帯型情報処理装置、及びそのカバーは、携帯型情報処理装置用のカバーを使用する場合に有用である。
【符号の説明】
【００５５】
１０  タブレットＰＣ
１２  タッチセンサ
１２ａ  透明電極基板
１２ｂ  保護ガラス
１３  ＬＣＤ
１４  回路基板
２３  タッチセンサコントローラ
３０  指
１８  カメラ
４０  タブレットＰＣ用ケース
４１  カバー
４１ａ  裏面
４２  本体部
４３  固定突起
５０  金属材料
５１，３１０  材料
１０１  ＣＰＵ
１０２  ＲＯＭ
１０３  メモリ
１０４  ＨＤＤ（ハードディスク）
１０５  グラフィクスアダプタ
１０６  ＵＳＢポート
１０７  通信デバイス
１０８  電源回路
１１１  ＯＳ
１１２  ドライバ
１１３  各種アプリケーションプログラム
【図１】
0005961153.tif 000002
【図２】
0005961153.tif 000003
【図３】
0005961153.tif 000004
【図４】
0005961153.tif 000005
【図５】
0005961153.tif 000006
【図６】
0005961153.tif 000007
【図７】
0005961153.tif 000008
【図８】
0005961153.tif 000009
【図９】
0005961153.tif 000010
【図１０】
0005961153.tif 000011